(57)【要約】【課題】ユーザーが多様な入力操作を行い得る表示装置を提供する。【解決手段】表示装置１は、装置本体２０と、カバーガラス１０とを備える。装置本体２０は、主面２１と、第１の側面２２と、第２の側面２３とを有する。カバーガラス１０は、前面部１１と、第１の側面部１２とを有する。前面部１１は、主面２１を覆う。第１の側面部１２は、第１の側面２２を覆う。装置本体２０は、表示部２１ａと、第２のタッチセンサ面２２ａとを有する。表示部２１ａは、主面２１に設けられている。表示部２１ａは、第１のタッチセンサ面を構成している。第２のタッチセンサ面２２ａは、第１の側面２２に設けられている。第１の側面部１２の少なくとも前面部１１との接続部の外表面が曲面により構成されている。【選択図】図４
2014115321.tif 000002
【特許請求の範囲】
【請求項１】
互いに直交する第１及び第２の方向に沿って延びる主面と、前記主面の前記第１の方向の一方側に位置する第１の側面と、前記主面の前記第１の方向の他方側に位置する第２の側面とを有する装置本体と、
前記主面を覆う前面部と、前記第１の側面を覆う第１の側面部とを有するカバーガラスと、
を備え、
前記装置本体は、
前記主面に設けられており、第１のタッチセンサ面を構成している表示部と、
前記第１の側面に設けられた第２のタッチセンサ面と、
を有し、
前記第１の側面部の少なくとも前記前面部との接続部の外表面が曲面により構成されている、表示装置。
【請求項２】
前記前面部上から前記第１の側面部上へ、または前記第１の側面部上から前記前面部上へと、物体が前記カバーガラスに触れながら移動した際に、第１の操作が入力される、請求項１に記載の表示装置。
【請求項３】
前記第１の側面部上を、物体が前記カバーガラスに触れながら前記第２の方向に沿って移動した際に、第２の操作が入力される、請求項２に記載の表示装置。
【請求項４】
物体が前記第１の側面部の一領域に触れた際に、第３の操作が入力される、請求項２または３に記載の表示装置。
【請求項５】
前記第１のタッチセンサ面と前記第２のタッチセンサ面とが連続して設けられている、請求項１〜４のいずれか一項に記載の表示装置。
【請求項６】
前記前面部と前記第１の側面部とのなす角の大きさが９０°以上である、請求項１〜５のいずれか一項に記載の表示装置。
【請求項７】
前記カバーガラスは、前面部において前記装置本体と固定されている、請求項１〜６のいずれか一項に記載の表示装置。
【請求項８】
前記表示部は、前記第２の方向に沿って設けられた複数の表示領域を有し、
前記複数の表示領域は、それぞれ、前記第１の側面部のうち、当該表示領域の前記第１の方向における一方側に位置する領域に物体を接触させることにより操作可能である、請求項１〜７のいずれか一項に記載の表示装置。
【請求項９】
前記装置本体は、前記第２の側面に位置する第３のタッチセンサ面をさらに有し、
前記カバーガラスは、前記第２の側面を覆う第２の側面部をさらに有し、
前記第２の側面部の少なくとも前記前面部との接続部の外表面が曲面により構成されている、請求項１〜８のいずれか一項に記載の表示装置。
【請求項１０】
モバイル表示装置である、請求項１〜９のいずれか一項に記載の表示装置。
【発明の詳細な説明】
【技術分野】
【０００１】
本発明は、表示装置に関する。
【背景技術】
【０００２】
近年、ユーザーが多様な入力操作を容易に行い得る表示装置として、タッチセンサを備える表示装置が提案されている。例えば特許文献１には、主面に表示画面を有すると共に、複数の側面にタッチセンサを有する矩形板状の表示装置が記載されている。特許文献１に記載の表示装置では、側面のタッチセンサ上を、操作者の指が長さ方向または幅方向に沿って動いた際に所定の入力がなされる。
【先行技術文献】
【特許文献】
【０００３】
【特許文献１】ＷＯ  ２０１０／００７８１３  Ａ１号公報
【発明の概要】
【発明が解決しようとする課題】
【０００４】
近年、ユーザーがより多様な入力操作を行い得る表示装置に対する要望が高まってきている。
【０００５】
本発明の主な目的は、ユーザーが多様な入力操作を行い得る表示装置を提供することにある。
【課題を解決するための手段】
【０００６】
本発明に係る表示装置は、装置本体と、カバーガラスとを備える。装置本体は、主面と、第１の側面と、第２の側面とを有する。主面は、互いに直交する第１及び第２の方向に沿って延びる。第１の側面は、主面の第１の方向の一方側に位置する。第２の側面は、主面の第１の方向の他方側に位置する。カバーガラスは、前面部と、第１の側面部とを有する。前面部は、主面を覆う。第１の側面部は、第１の側面を覆う。装置本体は、表示部と、第２のタッチセンサ面とを有する。表示部は、主面に設けられている。表示部は、第１のタッチセンサ面を構成している。第２のタッチセンサ面は、第１の側面に設けられている。第１の側面部の少なくとも前面部との接続部の外表面が曲面により構成されている。
【０００７】
本発明に係る表示装置は、前面部上から第１の側面部上へ、または第１の側面部上から前面部上へと、物体がカバーガラスに触れながら移動した際に、第１の操作が入力されるものであってもよい。
【０００８】
本発明に係る表示装置は、第１の側面部上を、物体がカバーガラスに触れながら第２の方向に沿って移動した際に、第２の操作が入力されるものであってもよい。
【０００９】
本発明に係る表示装置は、物体が第１の側面部の一領域に触れた際に、第３の操作が入力されるものであってもよい。
【００１０】
第１のタッチセンサ面と第２のタッチセンサ面とが連続して設けられていてもよい。
【００１１】
前面部と第１の側面部とのなす角の大きさが９０°以上であってもよい。
【００１２】
カバーガラスは、前面部において装置本体と固定されていることが好ましい。
【００１３】
表示部は、第２の方向に沿って設けられた複数の表示領域を有していてもよい。その場合、複数の表示領域は、それぞれ、第１の側面部のうち、当該表示領域の第１の方向における一方側に位置する領域に物体を接触させることにより操作可能であることが好ましい。
【００１４】
装置本体は、第２の側面に位置する第３のタッチセンサ面をさらに有していてもよい。その場合、カバーガラスは、第２の側面を覆う第２の側面部をさらに有することが好ましい。第２の側面部の少なくとも前面部との接続部の外表面が曲面により構成されていることが好ましい。
【００１５】
本発明に係る表示装置は、モバイル表示装置であることが好ましい。
【発明の効果】
【００１６】
本発明によれば、ユーザーが多様な入力操作を行い得る表示装置を提供することができる。
【図面の簡単な説明】
【００１７】
【図１】本発明の一実施形態に係る表示装置の模式的斜視図である。
【図２】本発明の一実施形態における装置本体の模式的斜視図である。
【図３】本発明の一実施形態における装置本体の模式的展開図である。
【図４】本発明の一実施形態における表示装置の操作を説明するための模式的斜視図である。
【図５】本発明の一実施形態における表示装置の操作を説明するための装置本体の模式的展開図である。
【図６】本発明の一実施形態における表示装置の表示態様の一例を説明するための模式的展開図である。
【図７】第１の変形例に係る表示装置の模式的側面図である。
【図８】第２の変形例に係る表示装置の模式的側面図である。
【図９】第３の変形例における装置本体の模式的斜視図である。
【発明を実施するための形態】
【００１８】
以下、本発明を実施した好ましい形態の一例について説明する。但し、下記の実施形態は、単なる例示である。本発明は、下記の実施形態に何ら限定されない。
【００１９】
また、実施形態等において参照する各図面において、実質的に同一の機能を有する部材は同一の符号で参照することとする。また、実施形態等において参照する図面は、模式的に記載されたものである。図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００２０】
図１は、本実施形態に係る表示装置１の模式的斜視図である。表示装置１は、例えば、据え置き型の表示装置であってもよいが、携帯電話、スマートフォン、タブレットパーソナルコンピューター（タブレットＰＣ）、ノート型パーソナルコンピューター等のモバイル表示装置であることが好ましい。
【００２１】
表示装置１は、装置本体２０と、カバーガラス１０とを備える。
【００２２】
図２及び図３に示されるように、装置本体２０は、板状に設けられている。装置本体２０は、第１の主面２１と、第２の主面２６と、第１〜第４の側面２２〜２５とを有する。第１及び第２の主面２１，２６は、互いに直行するｘ軸方向及びｙ軸方向に沿って延びている。第１及び第２の主面２１，２６は、それぞれ、実質的に平面状である。第１の主面２１と第２の主面２６とは、ｘ軸方向及びｙ軸方向に対して垂直なｚ軸方向において対向している。
【００２３】
第１の側面２２は、主面２１，２６のｘ軸方向のｘ１側に位置している。第１の側面２２は、第１の主面２１と第２の主面２６とを接続している。第２の側面２３は、主面２１，２６のｘ軸方向のｘ２側に位置している。第２の側面２３は、第１の主面２１と第２の主面２６とを接続している。第３の側面２４は、主面２１，２６のｙ軸方向の一方側に位置している一方、第４の側面２５は、主面２１，２６のｙ軸方向の他方側に位置している。第３及び第４の側面２４，２５は、それぞれ、第１の主面２１と第２の主面２６とを接続している。
【００２４】
第１の主面２１には、文字や画像などを表示させる表示部２１ａが設けられている。表示部２１ａは、第１のタッチセンサ面を構成している。ここで、「タッチセンサ面」とは、操作者の指やタッチペンなどの物体が接触することが検知される面のことである。タッチセンサ面は、静電容量式、感圧式、光学式等のタッチセンサ面であってもよい。
【００２５】
図３に示されるように、第１の側面２２には、第２のタッチセンサ面２２ａが設けられている。第２のタッチセンサ面２２ａは、長手方向がｙ軸方向に沿って延びる細長形状を有する。具体的には、第２のタッチセンサ面２２ａは、長手方向がｙ軸方向に沿って延びる矩形状に設けられている。第１の側面２２の第１の主面２１との接続部の外表面は曲面により構成されており、その他の部分の外表面は平面により構成されている。すなわち、第１の側面２２と第１の主面２１とにより構成される稜線部は、丸められた形状を有する。
【００２６】
第２の側面２３には、第３のタッチセンサ面２３ａが設けられている。第３のタッチセンサ面２３ａは、長手方向がｙ軸方向に沿って延びる細長形状を有する。具体的には、第３のタッチセンサ面２３ａは、長手方向がｙ軸方向に沿って延びる矩形状に設けられている。第２の側面２３の第１の主面２１との接続部の外表面は曲面により構成されており、その他の部分の外表面は平面により構成されている。すなわち、第２の側面２３と第１の主面２１とにより構成される稜線部は、丸められた形状を有する。
【００２７】
本実施形態では、第３及び第４の側面２４，２５にはタッチセンサ面が設けられていないが、第３及び第４の側面にもタッチセンサ面が設けられていてもよい。
【００２８】
図１に示されるように、装置本体２０の第１の主面２１並びに第１及び第２の側面２２，２３は、カバーガラス１０により覆われている。カバーガラス１０は、前面部１１と、第１の側面部１２と、第２の側面部１３とを有する。前面部１１並びに第１の側面部１２及び第２の側面部１３は、一体に設けられている。すなわち、カバーガラス１０は、一枚のガラス板により構成されている。
【００２９】
前面部１１は、第１の主面２１の少なくとも表示部２１ａが設けられた領域を覆っている。具体的には、本実施形態では、前面部１１は、第１の主面２１の実質的に全体を覆っている。前面部１１は、実質的に平板状に設けられている。前面部１１の平面形状は、ｘ軸方向と短辺とが平行で、ｙ軸方向と長辺とが平行な矩形である。
【００３０】
前面部１１のｘ軸方向のｘ１側端部には、第１の側面部１２が接続されている。第１の側面部１２は、装置本体２０の第１の側面２２の少なくとも一部を覆っている。具体的には、本実施形態では、第１の側面部１２は、第１の側面２２の実質的に全体を覆っている。第１の側面部１２は、屈曲部１２ｃと、平面部１２ｂとを有する。屈曲部１２ｃは、第１の側面部１２の前面部１１との接続部により構成されている。屈曲部１２ｃの外表面（装置本体２０とは反対側の表面）は、曲面により構成されている。具体的には、本実施形態では、屈曲部１２ｃの外表面と内表面とのそれぞれが曲面により構成されている。もっとも、屈曲部１２ｃの内表面は、少なくともひとつの平面により構成されていてもよい。
【００３１】
平面部１２ｂは、屈曲部１２ｃに接続されている。平面部１２ｂは、第１の側面２２のｚ方向におけるｚ２側端部にまで至っている。
【００３２】
前面部１１のｘ軸方向のｘ２側端部には、第２の側面部１３が接続されている。第２の側面部１３は、装置本体２０の第２の側面２３の少なくとも一部を覆っている。具体的には、本実施形態では、第２の側面部１３は、第２の側面２３の実質的に全体を覆っている。第２の側面部１３は、屈曲部１３ｃと、平面部１３ｂとを有する。屈曲部１３ｃは、第２の側面部１３の前面部１１との接続部により構成されている。屈曲部１３ｃの外表面（装置本体２０とは反対側の表面）は、曲面により構成されている。具体的には、本実施形態では、屈曲部１３ｃの外表面と内表面とのそれぞれが曲面により構成されている。もっとも、屈曲部１３ｃの内表面は、少なくともひとつの平面により構成されていてもよい。
【００３３】
本実施形態において、カバーガラス１０は、前面部１１において装置本体２０と固定されており、第１及び第２の側面部１２，１３は、装置本体２０に直接固定されていない。もっとも、カバーガラス１０は、前面部１１のみならず、側面部１２，１３においても装置本体２０に直接固定されていてもよい。なお、前面部１１と装置本体２０との固定は、例えば、接着剤等を用いて行うことができる。
【００３４】
次に、表示装置１の操作について説明する。表示装置１は、第１のタッチセンサ面を構成している表示部２１ａをタッチ操作することに加え、第２及び第３のタッチセンサ面２２ａ、２３ａをタッチ操作することによっても操作可能である。
【００３５】
（第１の操作）
例えば図４及び図５に示される矢印Ａ１，Ａ２のように、前面部１１上から第１の側面部１２上へ、または第１の側面部１２上から前面部１１上へと、物体（操作者の指や、タッチペンなど）がカバーガラス１０に触れながら移動した際に、第１−１の操作が入力される。
【００３６】
同様に、例えば矢印Ａ３，Ａ４のように、前面部１１上から第２の側面部１３上へ、または第２の側面部１３上から前面部１１上へと、物体がカバーガラス１０に触れながら移動した際に、第１−２の操作が入力される。
【００３７】
（第２の操作）
例えば図５に示される矢印Ｂ１，Ｂ２のように、第１の側面部１２上を、物体がカバーガラス１０に触れながらｙ軸方向に沿って移動した際に、第２−１の操作が入力される。矢印Ｂ１のようにある物体が移動するとともに、矢印Ｂ２のように他の物体が移動したときには、第２−２の操作が入力される。
【００３８】
同様に、例えば矢印Ｂ３，Ｂ４のように、第２の側面部１３上を、物体がカバーガラス１０に触れながらｙ軸方向に沿って移動した際に、第２−３の操作が入力される。矢印Ｂ３のようにある物体が移動するとともに、矢印Ｂ４のように他の物体が移動したときには、第２−４の操作が入力される。
【００３９】
（第３の操作）
第１の側面部１２の一領域に物体が触れた際に、第３−１の操作が入力される。
【００４０】
同様に、第２の側面部１３の一領域に物体が触れた際に、第３−２の操作が入力される。
【００４１】
なお、第１−１，１−２，２−１〜２−４，３−１，３−２の操作は、それぞれ同じ種類の操作であってもよいし、異なる種類の操作であってもよい。例えば、第１−１，第１−２の操作は、表示部２１ａに表示された画像のｘ軸方向のスクロールであってもよい。例えば、第２−１，２−３の操作は、表示部２１ａに表示された画像のｙ軸方向のスクロールであってもよい。例えば、第２−２，２−４の操作は、表示部２１ａに表示された画像の変倍（拡大または縮小）であってもよい。例えば、第３−１，３−２の操作は、表示部２１ａに表示された画面の切り替えであってもよい。
【００４２】
ところで、一般的に、表示装置では、側面部は平板状に設けられている。また、表示装置には、薄型化の要望が強いため、側面部は、幅狭である。従って、一般的な表示装置においては、側面にタッチセンサ面が設けられていたとしても、長さ方向または幅方向に沿って物体を移動させる操作と、一領域に物体を接触させる操作との、大別して２種類の操作しか行うことができない。幅狭な側面部上を厚み方向に沿って物体を移動させる操作を行うことは困難である。
【００４３】
それに対して、表示装置１では、第１の側面部１２の少なくとも前面部１１との接続部である屈曲部１２ｃの外表面が曲面により構成されている。このため、前面部１１上から第１の側面部１２上へと物体をなめらかに移動させることができるので、矢印Ａ１や矢印Ａ２のように物体を移動させる操作を行うことができる。すなわち、表示装置１では、第２の操作及び第３の操作に加えて、第１−１の操作を行い得る。従って、表示装置１のユーザーは、表示装置１に対して３種類以上の多様な入力操作を行い得る。
【００４４】
さらに、表示装置１では、第２の側面部１３の少なくとも前面部１１との接続部である屈曲部１３ｃの外表面が曲面により構成されている。このため、矢印Ａ３や矢印Ａ４のように物体を移動させる操作を行うことができる。よって、第１−２の操作も行い得る。従って、表示装置１のユーザーは、より多様な入力操作を表示装置１に対して行い得る。
【００４５】
さらに、側面部１２，１３を操作する場合、表示部２１ａに表示された画像が物体によって隠蔽されにくい。このため、表示装置１のように、側面部１２，１３における入力操作を多様化させることにより、表示部２１ａに表示された画像を視認可能な状態にしつつ、種々の操作を行うことが可能となる。
【００４６】
また、側面部が平板状である場合と比較して、側面部１２，１３の表面上におけるｘ軸方向に沿った幅寸法が大きく、側面部１２，１３の面積が広い。よって、矢印Ａ１〜Ａ４，Ｂ１〜Ｂ４に沿って物体を移動させやすい。従って、表示装置１では、操作が容易である。
【００４７】
上述のように、表示装置には、薄型であることが求められる。このため、側面は幅狭である。この幅狭の側面のタッチセンサ面が設けられた領域の上に、個別のガラス板や樹脂板を固定することは困難である。また、タッチセンサ面は、指やタッチペンなどの物体によって押圧されるため、ガラス板や樹脂板を強固に固定する必要があるため、固定具を強固なものとする必要がある。よって、筐体が大型化しやすく、表示装置を小型化・薄型化することが困難である。表示装置の厚みが非常に薄い場合は、ガラス板や樹脂板を固定することができない場合もある。
【００４８】
それに対して表示装置１では、前面部１１と側面部１２，１３とが一体に設けられている。従って、前面部１１と装置本体２０とを固定しておけば、側面部１２，１３と装置本体２０とを直接固定する必要は必ずしもない。従って、側面部１２，１３のｚ軸方向に沿った寸法が小さい場合であっても、側面部１２，１３を装置本体２０に対して強固に固定することができる。その結果、表示装置１の薄型化・小型化を図ることができる。
【００４９】
図６は、表示装置１の表示態様の一例を説明するための模式的平面図である。図６に示されるように、表示部２１ａは、ｙ軸方向に沿って設けられた複数の表示領域２１ａ１〜２１ａ３を有する。これら複数の表示領域２１ａ１〜２１ａ３は、それぞれ別個の画像を表示可能である。複数の表示領域２１ａ１〜２１ａ３は、それぞれ、側面部１２，１３のうち、当該表示領域２１ａ１〜２１ａ３のｘ軸方向における一方側または他方側に位置する領域に物体を接触させることにより操作可能である。具体的には、表示領域２１ａ１は、側面部１２のうち、表示領域２１ａ１のｘ軸方向におけるｘ１側に位置する領域Ｄ１−１と、側面部１３のうち、表示領域２１ａ１のｘ軸方向におけるｘ２側に位置する領域Ｄ１−２とのうちの少なくとも一方と表示部２１ａとに跨がって矢印Ａ１〜Ａ４のいずれかに沿って物体を移動させることにより操作可能である。表示領域２１ａ２は、側面部１２のうち、表示領域２１ａ２のｘ軸方向におけるｘ１側に位置する領域Ｄ２−１と、側面部１３のうち、表示領域２１ａ２のｘ軸方向におけるｘ２側に位置する領域Ｄ２−２とのうちの少なくとも一方と表示部２１ａとに跨がって矢印Ａ１〜Ａ４のいずれかに沿って物体を移動させることにより操作可能である。表示領域２１ａ３は、側面部１２のうち、表示領域２１ａ３のｘ軸方向におけるｘ１側に位置する領域Ｄ３−１と、側面部１３のうち、表示領域２１ａ３のｘ軸方向におけるｘ２側に位置する領域Ｄ３−２とのうちの少なくとも一方と表示部２１ａとに跨がって矢印Ａ１〜Ａ４のいずれかに沿って物体を移動させることにより操作可能である。
【００５０】
従って、表示装置１では、複数の表示領域を、物体により隠蔽されることなく、別個に容易に操作可能である。
【００５１】
なお、本実施形態では、前面部１１と第１の側面部１２とのなす角の大きさθ１と、前面部１１と第２の側面部１３とのなす角の大きさθ２とが、約９０°である例について説明したが、図７に示すように、θ１、θ２は、９０°以上であってもよい。その場合、矢印Ａ１〜Ａ４に沿った操作をより容易に行うことができる。矢印Ａ１〜Ａ４に沿った操作をさらに容易にする観点からは、θ１、θ２は、それぞれ、９０°以上であることが好ましく、９０°より大きなことがさらに好ましく、１００°以上であることがなお好ましい。但し、θ１、θ２が大きすぎると、表示装置１が大型化する傾向にある。従って、θ１、θ２は、それぞれ、１７５°以下であることが好ましく、１７０°以下であることがより好ましい。
【００５２】
本実施形態では、側面部１２，１３が屈曲部１２ｃ、１３ｃに加えて平面部１２ｂ、１３ｂを有する例について説明した。但し、本発明は、この構成に限定されない。例えば、図８に示されるように、側面部１２，１３が屈曲部１２ｃ、１３ｃのみにより構成されていてもよい。
【００５３】
本実施形態では、第１のタッチセンサ面を構成している表示部２１ａと、第２のタッチセンサ面２２ａと、第３のタッチセンサ面２３ａとがそれぞれ別個に設けられている例について説明した。但し、本発明は、この構成に限定されない。例えば、図９に示されるように、表示部２１ａと、第２のタッチセンサ面２２ａと、第３のタッチセンサ面２３ａとが一体に設けられていてもよい。
【００５４】
本実施形態では、カバーガラス１０が装置本体２０の長辺側の側面２２，２３を覆うように設けられている例について説明した。但し、本発明は、この構成に限定されない。例えば、カバーガラスは、装置本体の短辺側の側面を覆うように設けられていてもよい。
【００５５】
カバーガラス１０は、肉厚が薄くても高強度を保てる観点からは、強化ガラスであることが好ましい。
【００５６】
側面部１２，１３の内側に、ＬＥＤなどにより構成された表示灯がさらに設けられていてもよい。
【符号の説明】
【００５７】
１…表示装置
１０…カバーガラス
１１…前面部
１２…第１の側面部
１２ｂ…平面部
１２ｃ…屈曲部
１３…第２の側面部
１３ｂ…平面部
１３ｃ…屈曲部
２０…装置本体
２１…第１の主面
２１ａ…表示部
２１ａ１〜２１ａ３…表示領域
２２…第１の側面
２２ａ…第２のタッチセンサ面
２３…第２の側面
２３ａ…第３のタッチセンサ面
２４…第３の側面
２５…第４の側面
２６…第２の主面
【図１】
2014115321.tif 000003
【図２】
2014115321.tif 000004
【図３】
2014115321.tif 000005
【図４】
2014115321.tif 000006
【図５】
2014115321.tif 000007
【図６】
2014115321.tif 000008
【図７】
2014115321.tif 000009
【図８】
2014115321.tif 000010
【図９】
2014115321.tif 000011